(57)【特許請求の範囲】
【請求項１】
光路を偏向する反射部材を含む第１レンズ群、該第１レンズ群の像側に配置された正の屈折力のレンズ群、該正の屈折力のレンズ群の像側に配置された負の屈折力のレンズ群を有し、広角端から望遠端へのズーミングに際し、前記第１レンズ群と前記正の屈折力のレンズ群の間隔、及び前記正の屈折力のレンズ群と前記負の屈折力のレンズ群の間隔が変化するズームレンズであって、前記負の屈折力のレンズ群は、前記ズームレンズに含まれるレンズ群の中で最も像側に配置されたレンズ群であり、前記負の屈折力のレンズ群の焦点距離をｆｅ、広角端における全系の焦点距離をｆｗ、前記負の屈折力のレンズ群の広角端における横倍率をβｅＷ、前記負の屈折力のレンズ群の望遠端における横倍率をβｅＴとするとき、
０．８＜｜ｆｅ／ｆｗ｜＜２．５
１．４＜βｅＴ／βｅＷ＜３．０
なる条件を満足することを特徴とするズームレンズ。
【請求項２】
前記第１レンズ群は、像側が凸面の正メニスカスレンズを有し、該正メニスカスレンズは、前記第１レンズ群中で最も像側に配置されたレンズであることを特徴とする請求項１に記載のズームレンズ。
【請求項３】
前記負の屈折力のレンズ群が有するレンズは、像側が凸面の負メニスカスレンズのみであることを特徴とする請求項１または２に記載のズームレンズ。
【請求項４】
物体側より像側へ順に、正又は負の屈折力の前記第１レンズ群、負の屈折力の第２レンズ群、前記正の屈折力のレンズ群である第３レンズ群、前記負の屈折力のレンズ群である第４レンズ群の４つのレンズ群のみをレンズ群として有し、広角端から望遠端へのズーミングに際し、前記第１レンズ群と第２レンズ群の間隔、前記第２レンズ群と第３レンズ群の間隔、前記第３レンズ群と第４レンズ群の間隔が変化することを特徴とする請求項１乃至３いずれかに記載のズームレンズ。
【請求項５】
物体側より像側へ順に、負の屈折力の前記第１レンズ群、正又は負の屈折力の第２レンズ群、前記正の屈折力のレンズ群である第３レンズ群、前記負の屈折力のレンズ群である第４レンズ群の４つのレンズ群のみをレンズ群として有し、広角端から望遠端へのズーミングに際し、前記第１レンズ群と第２レンズ群の間隔、前記第２レンズ群と第３レンズ群の間隔、前記第３レンズ群と第４レンズ群の間隔が変化することを特徴とする請求項１乃至３いずれかに記載のズームレンズ。
【請求項６】
物体側より像側へ順に、負の屈折力の前記第１レンズ群、前記正の屈折力のレンズ群である第２レンズ群、前記負の屈折力のレンズ群である第３レンズ群の３つのレンズ群のみをレンズ群として有し、広角端から望遠端へのズーミングに際し、前記第１レンズ群と第２レンズ群の間隔、前記第２レンズ群と第３レンズ群の間隔が変化することを特徴とする請求項１乃至３いずれかに記載のズームレンズ。
【請求項７】
物体側から像側へ順に、正又は負の屈折力の第１レンズ群、負の屈折力の第２レンズ群、正の屈折力の第３レンズ群、負の屈折力の第４レンズ群より構成され、広角端から望遠端へのズーミングに際し、前記第１レンズ群と第２レンズ群の間隔、前記第２レンズ群と第３レンズ群の間隔、前記第３レンズ群と第４レンズ群の間隔が変化するズームレンズであって、前記第１レンズ群は、正の屈折力の成分と、光路を偏向する反射部材とを有し、前記第４レンズ群の広角端における横倍率をβｅＷ、前記第４レンズ群の望遠端における横倍率をβｅＴとするとき、
１．４＜βｅＴ／βｅＷ＜３．０
なる条件を満足することを特徴とするズームレンズ。
【請求項８】
前記第４レンズ群の焦点距離をｆｅ、広角端における全系の焦点距離をｆｗとするとき、
０．８＜｜ｆｅ／ｆｗ｜＜２．５
なる条件を満足することを特徴とする請求項７のズームレンズ。
【請求項９】
前記第１レンズ群は、像側が凸面の正メニスカスレンズを有し、該正メニスカスレンズは、前記第１レンズ群中で最も像側に配置されたレンズであることを特徴とする請求項７または８に記載のズームレンズ。
【請求項１０】
前記第４レンズ群が有するレンズは、像側が凸面の負メニスカスレンズのみであることを特徴とする請求項７乃至９いずれかに記載のズームレンズ。
【請求項１１】
固体撮像素子上に像を形成することを特徴とする請求項１乃至１０いずれかに記載のズームレンズ。
【請求項１２】
請求項１乃至１１いずれかに記載のズームレンズと、該ズームレンズによって形成される像を受光する固体撮像素子とを有することを特徴とする撮像装置。
【発明の詳細な説明】
【技術分野】
【０００１】
本発明はズームレンズに関し、特にコンパクトなデジタルスチルカメラ用の撮影レンズとして好適なズームレンズに関するものである。
【背景技術】
【０００２】
近年、デジタルカメラ用の撮影レンズやビデオカメラ用の撮影レンズにおいては、コンパクトで、高画素の固体撮像素子に対応した高い光学性能のものが要求されている。特にデジタルカメラにおいては、撮影者の携帯性を重視した薄型の形態であることが望まれている。カメラ本体における薄型化の障害となっているのは、レンズ部の最も物体側の面から撮像面までの厚みである。
【０００３】
従来の薄型化技術の主流の１つとして、沈胴式鏡筒の採用がある。この沈胴式鏡筒は、撮影時に光学系（レンズ部）をカメラボディ内から繰り出し、撮影時以外ではカメラ本体に収納される構造になっている。この沈胴式鏡筒を用いた光学系の例としては、特許文献１が知られている。
【０００４】
また最近では、光学系の光路をミラーやプリズム等の反射部材で折り曲げ、薄型化を実現したものが出現している（例えば、特許文献２〜４）。
【０００５】
また、一般に固体撮像素子の光電変換部は、開口に対して奥まった位置（ホール内）に存在する。したがって、入射光線が垂直角度より大きく外れてくると、この開口にて光線がケラレてしまい、感度の低下を招くこととなる。このため、従来の固定撮像素子用の撮影光学系は、画面周辺においても撮像素子へ入射する光線角度が垂直に近い、テレセントリックな光学系が一般的であった。
【０００６】
これに対し、光線の斜入射や入射角変動に対しても効率良く光線を光電変換面にまで取り込めるよう、ホール構造に工夫をなした固体撮像素子が提案されている（特許文献５，６）。
【特許文献１】特開２０００−  ９９９７号公報
【特許文献２】特開２００４−３７９６７号公報
【特許文献３】特開２００４−６９８０８号公報
【特許文献４】特開２００５−８４２８３号公報
【特許文献５】特開平１１−６８０７４号公報
【特許文献６】特開２００３−２２４２４９号公報
【発明の開示】
【発明が解決しようとする課題】
【０００７】
小型のデジタルカメラの撮影系に用いられるズームレンズの多くは、最も物体側に負成分（負の屈折力のレンズ群）を配し、その像側に第１正成分（正の屈折力のレンズ群）、更に最も像面に近い側に第２正成分（正の屈折力のレンズ群）を有した、レトロフォーカス型の光学系である。
【０００８】
そして、ズーミングに際しては、第１正成分の移動により変倍を行い、負成分にて変倍に伴う像面変動の補正をしている。そして第２正成分にて像面へ入射する光線をテレセントリックに近づけるような屈折作用を行っている。
【０００９】
このようなレトロフォーカス型の光学系において、少ない移動量にて一定の変倍作用を行うには、第１正成分に強い正の屈折力を与えるのが効果的である。
【００１０】
しかしながら、テレセントリックな光学系とするためには、第２正成分に正の屈折力を分担させ、第１正成分とは分離して配置させねばならない。第１正成分と第２正成分全体で一定の屈折力を確保するという前提において、このように第２正成分に正の屈折力を分担させると、第１正成分の屈折力が相対的に小さくなる。第１正成分の屈折力が小さくなると、結果的にズーミングの際の第１正成分の移動量を大きく確保しなければならず、レンズ系全体の全長が増大してしまう。
【００１１】
このように負、正、正成分構成のズームレンズにおいては、テレセントリック性の維持と小型化は二律背反の条件であった。一方、前述の特許文献５，６に開示されたような固体撮像素子を用いた場合には、光学系に要求されるテレセントリック性が緩和されるので、負、正、正成分構成のズームレンズが最適解でない可能性がある。
【００１２】
本発明は、要求されるテレセントリック性が緩和された固体撮像素子への使用を想定し、レンズ構成及びレンズ群配置を適切に行うことにより、レンズ系全体の更なるコンパクト化を図ったズームレンズの提供を目的とする。
【課題を解決するための手段】
【００１３】
本願第１発明のズームレンズは、光路を偏向する反射部材を含む第１レンズ群、該第１レンズ群の像側に配置された正の屈折力のレンズ群、該正の屈折力のレンズ群の像側に配置された負の屈折力のレンズ群を有し、広角端から望遠端へのズーミングに際し、前記第１レンズ群と前記正の屈折力のレンズ群の間隔、及び前記正の屈折力のレンズ群と前記負の屈折力のレンズ群の間隔が変化するズームレンズであって、前記負の屈折力のレンズ群は、前記ズームレンズに含まれるレンズ群の中で最も像側に配置されたレンズ群であり、前記負の屈折力のレンズ群の焦点距離をｆｅ、広角端における全系の焦点距離をｆｗ、前記負の屈折力のレンズ群の広角端における横倍率をβｅＷ、前記負の屈折力のレンズ群の望遠端における横倍率をβｅＴとするとき、
０．８＜｜ｆｅ／ｆｗ｜＜２．５
１．４＜βｅＴ／βｅＷ＜３．０
なる条件を満足することを特徴とする。
【００１４】
本願第２発明のズームレンズは、物体側から像側へ順に、正又は負の屈折力の第１レンズ群、負の屈折力の第２レンズ群、正の屈折力の第３レンズ群、負の屈折力の第４レンズ群より構成され、広角端から望遠端へのズーミングに際し、前記第１レンズ群と第２レンズ群の間隔、前記第２レンズ群と第３レンズ群の間隔、前記第３レンズ群と第４レンズ群の間隔が変化するズームレンズであって、前記第１レンズ群は、正の屈折力の成分と、光路を偏向する反射部材とを有し、前記第４レンズ群の広角端における横倍率をβｅＷ、前記第４レンズ群の望遠端における横倍率をβｅＴとするとき、
１．４＜βｅＴ／βｅＷ＜３．０
なる条件を満足することを特徴とする。
【発明の効果】
【００１５】
本発明によれば、コンパクトなズームレンズを実現できる。
【発明を実施するための最良の形態】
【００１６】
以下、本発明のズームレンズ及びそれを有する撮像装置の実施例について説明する。
【００１７】
図１（Ａ）〜（Ｃ）はそれぞれ実施例１のズームレンズの広角端、中間のズーム位置、望遠端におけるレンズ断面図である。図２（Ａ）〜（Ｃ）はそれぞれ実施例１のズームレンズの広角端、中間のズーム位置、望遠端における収差図である。
【００１８】
図３（Ａ）〜（Ｃ）はそれぞれ実施例２のズームレンズの広角端、中間のズーム位置、望遠端におけるレンズ断面図である。図４（Ａ）〜（Ｃ）はそれぞれ実施例２のズームレンズの広角端、中間のズーム位置、望遠端における収差図である。
【００１９】
図５（Ａ）〜（Ｃ）はそれぞれ実施例３のズームレンズの広角端、中間のズーム位置、望遠端におけるレンズ断面図である。図６（Ａ）〜（Ｃ）はそれぞれ実施例３のズームレンズの広角端、中間のズーム位置、望遠端における収差図である。
【００２０】
図７（Ａ）〜（Ｃ）はそれぞれ実施例４のズームレンズの広角端、中間のズーム位置、望遠端におけるレンズ断面図である。図８（Ａ）〜（Ｃ）はそれぞれ実施例４のズームレンズの広角端、中間のズーム位置、望遠端における収差図である。
【００２１】
図９（Ａ）〜（Ｃ）はそれぞれ実施例５のズームレンズの広角端、中間のズーム位置、望遠端におけるレンズ断面図である。図１０（Ａ）〜（Ｃ）はそれぞれ実施例５のズームレンズの広角端、中間のズーム位置、望遠端における収差図である。
【００２２】
図１１（Ａ）〜（Ｃ）はそれぞれ実施例６のズームレンズの広角端、中間のズーム位置、望遠端におけるレンズ断面図である。図１２（Ａ）〜（Ｃ）はそれぞれ実施例６のズームレンズの広角端、中間のズーム位置、望遠端における収差図である。
【００２３】
図１３（Ａ）〜（Ｃ）はそれぞれ実施例７のズームレンズの広角端、中間のズーム位置、望遠端におけるレンズ断面図である。図１４（Ａ）〜（Ｃ）はそれぞれ実施例７のズームレンズの広角端、中間のズーム位置、望遠端における収差図である。
【００２４】
図１５（Ａ）〜（Ｃ）はそれぞれ実施例８のズームレンズの広角端、中間のズーム位置、望遠端におけるレンズ断面図である。図１６（Ａ）〜（Ｃ）はそれぞれ実施例８のズームレンズの広角端、中間のズーム位置、望遠端における収差図である。
【００２５】
各実施例のズームレンズは撮像装置に用いられる撮影レンズ系である。レンズ断面図において、左方が物体側（前方）で、右方が像側（後方）である。
【００２６】
レンズ断面図において、Ｂｉ（ｉ＝１，２，３，４）は第ｉレンズ群である。ｉは物体側から数えてｉ番目のレンズ群であることを意味している。本実施例において各レンズ群は、ズーミングに際して変化する間隔によって切り分けられる。ＳＰは開口絞りである。開口絞りＳＰは、像側から数えて２番目のレンズ群の物体側に配置されている。すなわち、実施例１〜７では第３レンズ群Ｂ３の物体側に、実施例８では第２レンズ群Ｂ２の物体側に配置されている。
【００２７】
実施例１〜５のズームレンズは、物体側より像側へ順に、正又は負の屈折力（光学的パワー＝焦点距離の逆数）の第１レンズ群Ｂ１、負の屈折力の第２レンズ群Ｂ２、正の屈折力の第３レンズ群Ｂ３、負の屈折力の第４レンズ群Ｂ４で構成される４群ズームレンズである。実施例１，２において、第１レンズ群Ｂ１は正の屈折力である。実施例３〜５において、第１レンズ群Ｂ１は負の屈折力である。
【００２８】
実施例６，７のズームレンズは、物体側より像側へ順に、負の屈折力の第１レンズ群Ｂ１、正又は負の屈折力の第２レンズ群Ｂ２、正の屈折力の第３レンズ群Ｂ３、負の屈折力の第４レンズ群Ｂ４で構成される４群ズームレンズである。実施例６において、第２レンズ群Ｂ２は負の屈折力である。実施例７において、第２レンズ群Ｂ２は正の屈折力である。
【００２９】
実施例８のズームレンズは、物体側より像側へ順に、負の屈折力の第１レンズ群Ｂ１、正の屈折力の第２レンズ群Ｂ２、負の屈折力の第３レンズ群Ｂ３で構成される３群ズームレンズである。
【００３０】
Ｐは第１レンズ群Ｂ１中に含まれる光路折り曲げ用の反射面を含む偏向部材である。被写体からの光線は、反射部材Ｐの反射面により略９０°光路が折り曲げられる。反射部材Ｐには、反射面を有するプリズムや表面反射鏡が適用できる。本実施例では、反射部材Ｐとしてプリズムを使用している。
【００３１】
ＬＰは光学フィルター、フェースプレート、水晶ローパスフィルター、赤外カットフィルター等に相当する光学ブロックである。ＩＰは像面である。各実施例のズームレンズをビデオカメラやデジタルスチルカメラの撮影光学系として使用する際には、ＣＣＤセンサやＣＭＯＳセンサ等の固体撮像素子（光電変換素子）の撮像面が像面ＩＰに置かれる。
【００３２】
収差図において、ｄ、ｇは各々ｄ線及びｇ線である。ΔＭ、ΔＳはメリディオナル像面、サジタル像面である。歪曲はｄ線によって表されている。倍率色収差はｇ線によって表わされている。
【００３３】
各実施例では、広角端から望遠端へのズーミングに際し、各レンズ群の間隔が変化するように、第１レンズ群Ｂ１以外のレンズ群が移動する。第１レンズ群Ｂ１は、ズーミングのためには移動しない。
【００３４】
実施例１〜５，７では、第２レンズ群Ｂ２が像側に凸状の軌跡を描くように移動し、第３レンズ群Ｂ３と第４レンズ群Ｂ４が物体側へ移動する。実施例６では、第２レンズ群Ｂ２が物体側に凸状の軌跡を描くように移動し、第３レンズ群Ｂ３と第４レンズ群Ｂ４が物体側へ移動する。実施例８では、第２レンズ群Ｂ２と第３レンズ群Ｂ３が物体側へ移動する。
【００３５】
各実施例において、フォーカシングは最も像側に配置されたレンズ群を光軸上移動させることで行っている。すなわち、実施例１〜７では第４レンズ群Ｂ４で、実施例８では第３レンズ群Ｂ３でフォーカシングを行っている。
【００３６】
このように各実施例のズームレンズは、第１レンズ群Ｂ１中に軸上光線の光路を略９０°偏向させる反射部材Ｐ（プリズム）を設けている。これにより、レンズ系の被写体に向かう方向（カメラの奥行き方向）の薄型化が可能となる。
【００３７】
また、第１レンズ群Ｂ１と像面との間に、正の屈折力のレンズ群（実施例１〜７では第３レンズ群Ｂ３、実施例８では第２レンズ群Ｂ２）及び負の屈折力のレンズ群（実施例１〜７では第４レンズ群Ｂ４、実施例８では第３レンズ群Ｂ３）を順に配列した構成を有している。そして、広角端から望遠端へのズーミングに際しては、この正レンズ群と負レンズ群とが、間隔を変化させながら物体側へ単調に移動する。このように屈折力の符号の異なる２つのレンズ群に変倍の役割を分担させることにより、ズーミングに要する移動量を低減させ、光学全長の短縮を可能としている。
【００３８】
更に、実施例１〜７では、第２レンズ群Ｌ２をズーミングに際し移動させることによって、変倍に伴う像位置の変動を補償している。また、この第２レンズ群Ｌ２によりズーミング中の収差補正を効果的に行っている。
【００３９】
また各実施例のズームレンズは、光学系にテレセントリック性をあまり要求しない固体撮像素子を用いることを前提に、最も像側に比較的強い屈折力の負レンズ群を配置している。このように光学系中の最も像側に負の屈折力のレンズ群を配置すると、射出瞳位置が像面に近づくため、テレセントリック性は低下する。しかし、光学全長の短縮には有効である。
【００４０】
とは言え固体撮像素子である以上、ある程度のテレセントリック性は要求される。前述の「比較的強い屈折力」とは、固体撮像素子に要求されるテレセントリック性を考慮しつつ、ズームレンズの小型化を図るために設定されるものである。すなわち、広角端における焦点距離をｆｗ、最も像側に配置された負の屈折力のレンズ群（実施例１〜７では第４レンズ群Ｂ４、実施例８では第３レンズ群Ｂ３）の焦点距離をｆｅとするとき、
０．８＜｜ｆｅ／ｆｗ｜＜２．５      …（１）
となる条件を満足している。
【００４１】
このように最も像側に配置されたレンズ群の負の屈折力を適切に設定することにより、諸収差の発生を抑えつつ、レンズ全長を短縮することができる。
【００４２】
条件式（１）の下限を超えると、最も像側に配置されたレンズ群の屈折力が過剰に大きくなるため、諸収差のバランスを良好に保つことができなくなる。また、射出瞳位置が像面に極端に近づくことになるので、テレセントリック性をあまり要求しない固体撮像素子に対しても使用に適さなくなる。更に、最も像側に配置されたレンズ群の組み立て誤差（位置ずれ）に対する敏感度が大きくなってしまい、製造上好ましくない。一方、条件式（１）の上限を超えると、最も像側に配置されたレンズ群の屈折力が弱くなるため、レンズ全長が大きくなる。
【００４３】
また、条件式（１）に関して、さらに好ましくは、
１．１＜｜ｆｅ／ｆｗ｜＜２．０      …（１ａ）
を満足するとよい。
【００４４】
また、最も像側に配置されたレンズ群は、前述したように変倍を分担しているので、以下の条件を満足することが好ましい。すなわち、最も像側に配置されたレンズ群の広角端および望遠端での横倍率（全系としては無限遠物体へ合焦）をそれぞれβｅＷ，βｅＴとするとき、
１．４＜βｅＴ／βｅＷ＜３．０      …（２）
となる条件を満足することが好ましい。
【００４５】
最も像側のレンズ群は結像の役割と同時に、変倍の役割を有している。条件式（２）を満足することにより、良好な光学性能を維持しつつ、ズーミングにおけるレンズ群の移動量や、レンズ系全体のガラス枚数を抑えることができる。
【００４６】
条件式（２）の上限を超えると、変倍効果を得るためには有効であるが、最も像側に配置されたレンズ群の屈折力が大きくなり過ぎる。その結果、レンズ群の組み立て誤差に対する敏感度が大きくなり、製造を考慮すると好ましくない。条件式（２）の下限を超えると、最も像側に配置されたレンズ群の変倍分担が小さくなるので、所望のズーム比が確保できなくなる。あるいは所望のズーム比を確保するために、その他の移動レンズ群の追加を余儀なくされ、光学系全体として大型化する。
【００４７】
条件式（２）に関して、さらに好ましくは
１．６＜βｅＴ／βｅＷ＜２．２      …（２ａ）
を満足するとよい。
【００４８】
次に各レンズ群の構成について説明する。
【００４９】
実施例１〜５において、第１レンズ群Ｂ１は、少なくとも１枚の負レンズ及び少なくとも１枚の正レンズを含んでいる。第１レンズ群Ｂ１は最も物体側に配置されたレンズ群であるので、レンズ径が大きくなってしまいがちである。このように負レンズと正レンズを用いることにより諸収差を抑えつつレンズ径を極力小さくすることができる。
【００５０】
また、実施例１〜５では、第１レンズ群Ｂ１の最も像側に、像側が凸面の正メニスカスレンズを配置している。このように正メニスカスレンズを最も像側に配置することによって、物体側に位置する負レンズにより発生する諸収差を逆方向に発生させて緩和させることができる。特にレンズ系全体として、非点収差を良好に補正するのに効果がある。
【００５１】
実施例１〜５において、第１レンズ群Ｂ１は、物体側より像側へ順に、物体側が凸面の負メニスカスレンズＧ１１と、直角プリズムＰと、像側が凸面の正メニスカスレンズＧ１２とで構成されている。
【００５２】
実施例６，７において、第１レンズ群Ｂ１は、物体側より像側へ順に、物体側よりも像側の曲率の絶対値が大きい、負の屈折力の第１レンズＧ１１、反射部材Ｐで構成している。但し、負レンズＧ１１は、反射部材にプリズムを用いる際には、プリズムと接合して一体化しても良い。更にプリズムの入射面又は射出面を負の屈折力を有するような凹面に加工しても良い。
【００５３】
実施例８において、第１レンズ群Ｂ１は、物体側より像側へ順に、物体側に比べ像側の面の曲率（曲率半径の逆数）が大きい、負レンズＧ１１、反射部材Ｐ、正レンズＧ１２で構成している。負レンズＧ１１及び正レンズＧ１２は、反射部材Ｐにプリズムを用いる際には、プリズムと接合して一体化しても良い。更にプリズムの入射面を負の屈折力を有する凹面形状に、射出面を正の屈折力を有するような凸面形状に加工しても良い。
【００５４】
実施例１〜５において、第２レンズ群Ｂ２は、少なくとも１枚の両凹レンズを有している。実施例１〜５の第２レンズ群Ｂ２は、コンペンセータとしての役割を担っている。第２レンズ群Ｂ２中に両凹レンズを設けることによって、ズーミング全域において諸収差の補正を行うのに必要な屈折力が少ないレンズ枚数で得られる。更に倍率色収差の補正にも効果がある。
【００５５】
実施例１，２において、第２レンズ群Ｂ２は、物体側より像側へ順に、両凹形状の負レンズＧ２１と、物体側が凸面の正メニスカスレンズとで構成されている。実施例３〜５では、この両凹形状の負レンズＧ２１と正メニスカスレンズＧ２２とを接合し、第２レンズ群Ｂ２を全体とした負の屈折力の接合レンズで構成している。
【００５６】
実施例６，７において、第２レンズ群Ｂ２は、負レンズと正レンズとを接合した接合レンズで構成されている。このような構成の第２レンズ群Ｂ２によれば、ズーミング中の色収差の変動を抑制し、球面収差を良好に補正することができる。
【００５７】
実施例１〜５において、第３レンズ群Ｂ３は、非球面形状の面を少なくとも１つ有している。これは、少ないレンズ枚数で効率的に収差を補正するためである。この観点から、特に第３レンズ群Ｂ３に含まれる両凸レンズを、両面非球面とすることが好ましい。また、非球面レンズとしては、ガラス、プラスチックをモールド加工したもの、切削加工したもの、ガラス表面に樹脂を添付した所以レプリカ非球面等、その選択は問わない。
【００５８】
実施例１において、第３レンズ群Ｂ３は、物体側より像側へ順に、両凸形状の正レンズＧ３１と、像側が凸面の負メニスカスレンズＧ３２と、両凸形状の正レンズＧ３３と、物体側が凸面の負メニスカスレンズＧ３４とで構成されている。正レンズＧ３１と負メニスカスレンズＧ３２は接合され、全体として正の屈折力の接合レンズを構成している。両凸形状の正レンズＧ３３は、物体側と像側の面の双方が非球面形状（両面非球面）である。負メニスカスレンズＧ３４は、物体側の面が非球面形状である。
【００５９】
実施例２，３において、第３レンズ群Ｂ３は、物体側より像側へ順に、両凸形状の正レンズＧ３１と、像側が凸面の負メニスカスレンズＧ３２と、両凸形状の正レンズＧ３３と、両凹形状の負レンズＧ３４とで構成されている。正レンズＧ３１と負メニスカスレンズＧ３２は接合され、全体として正の屈折力の接合レンズを構成している。両凸形状の正レンズＧ３３は、物体側と像側の面の双方が非球面形状である。
【００６０】
実施例４において、第３レンズ群Ｂ３は、物体側より像側へ順に、両凸形状の正レンズＧ３１と、像側が凸面の負メニスカスレンズＧ３２と、両凸形状の正レンズＧ３３と、物体側が凸面の負メニスカスレンズＧ３４とで構成されている。正レンズＧ３１と負メニスカスレンズＧ３２は接合され、全体として正の屈折力の接合レンズを構成している。負メニスカスレンズＧ３２は、像側の面が非球面形状である。両凸形状の正レンズＧ３３は、物体側と像側の面の双方が非球面形状である。
【００６１】
実施例５において、第３レンズ群Ｂ３は、物体側より像側へ順に、物体側が凸面の正メニスカスレンズＧ３１と、両凸形状の正レンズＧ３２と、像側が凸面の負メニスカスレンズＧ３３と、両凸形状の正レンズＧ３４と（両面非球面）、物体側が凸面の負メニスカスレンズＧ３５（像面側の面が非球面）とで構成されている。正レンズＧ３２と負メニスカスレンズＧ３３は接合され、全体として正の屈折力の接合レンズを構成している。両凸形状の正レンズＧ３４は、物体側と像側の面の双方が非球面形状である。負メニスカスレンズＧ３５は、像側の面が非球面形状である。
【００６２】
実施例６，７において、第３レンズ群Ｂ３は、物体側より像側へ順に、正レンズ成分Ｇ３１、負レンズ成分Ｇ３２、正レンズ成分Ｇ３３で構成し、良好な収差補正を行っている。ここで、レンズ成分とは、単レンズ又は接合レンズを意味する。
【００６３】
実施例８において、第２レンズ群Ｂ２は、その他の実施例の第３レンズ群に対応する。実施例８の第２レンズ群Ｂ２は、物体側より像側へ順に、正レンズ成分Ｇ２１、負レンズ成分Ｇ２２、正レンズ成分Ｇ２３で構成し、良好な収差補正を行っている。
【００６４】
実施例１〜５において、第４レンズ群Ｂ４は、像側が凸面の負メニスカスレンズＧ４１のみで構成されている。最も像側に配置されたレンズを像側が凸面の負メニスカス形状とすることで、開口絞りＳＰに対してコンセントリックに近い形状となる。これにより、収差の発生を抑えつつ、全長を短縮させることができる。
【００６５】
実施例６，７において、第４レンズ群Ｂ４は、２枚の負レンズで構成されている。但し、実施例６，７において、第４レンズ群を負の単一レンズで構成しても良い。第４レンズ群Ｂ４を負の単一レンズで構成する際は、物体側よりも像側のレンズ面の曲率が大きくなるようなレンズ形状にすることが望ましい。また高画質化を図るには、第４レンズ群Ｂ４中に、物体側の面を非球面形状としたレンズの物体側に、像側のレンズ面が凹形状である負レンズを配置するのが好ましい。
【００６６】
実施例８において、第３レンズ群Ｂ３は、その他の実施例の第４レンズ群に対応する。実施例８の第３レンズ群Ｂ３は、正レンズと負レンズで構成されている。但し、１枚の負レンズで構成してもよい。第３レンズ群Ｂ３を負の単一レンズで構成する際は、物体側よりも像側のレンズ面の曲率が大きくなるようなレンズ形状にすることが望ましい。また高画質化を図るには、第３レンズ群Ｂ３中に、物体側の面を非球面形状としたレンズの物体側に、像側のレンズ面が凹形状の負レンズを配置するのが好ましい。
【００６７】
次に、実施例１〜８の数値実施例を示す。各数値実施例において、ｉは物体側からの面の順序を示し、Ｒｉは各面の曲率半径、Ｄｉは第ｉ面と第（ｉ＋１）面との間の間隔、Ｎｉ、νｉはそれぞれｄ線を基準とした屈折率、アッベ数を示す。
【００６８】
又、最も像側の２つの面は光学ブロックＬＰを構成する面である。また、非球面形状は、光軸からの高さｈの位置での光軸方向の変位を、面頂点を基準にしてｘとするとき、
ｘ＝（ｈ２／Ｒ）／［１＋｛１−（１＋ｋ）（ｈ／Ｒ）２｝１／２］
＋Ａｈ２＋Ｂｈ４＋Ｃｈ６＋Ｄｈ８＋Ｅｈ１０
で表わされる。但し、ｋは円錐定数、Ａ，Ｂ，Ｃ，Ｄ，Ｅは非球面係数、Ｒは近軸曲率半径である。
【００６９】
又、「ｅ−０Ｘ」は、「×１０−ｘ」を意味している。ｆは焦点距離、ＦｎｏはＦナンバー、ωは半画角を示す。又前述の各条件式と各数値実施例との関係を表１に示す。
【００７０】
（数値実施例１）
ｆ＝6.3−23.3  Fno=2.4−5.7  ω＝29.3−8.5°
R1=    18.611    D1=      0.850    N1=      1.9229   ν1=      18.9 
R2=    10.025    D2=     2.221 
R3=    ∞        D3=     10.200   N2=      1.8040  ν2=      46.6 
R4=    ∞        D4=     0.490 
R5=    -38.404   D5=     1.180    N3=      1.6990  ν3=      30.1 
R6=    -14.412   D6=     可変
R7=    -12.722   D7=     0.400    N4=      1.7440  ν4=      44.8 
R8=    14.684    D8=     0.200 
R9=    13.385    D9=     1.234    N5=      1.9229  ν5=      18.9 
R10=    85.033   D10=    可変
R11=    6.786    D11=    3.405    N6=      1.4875   ν6=     70.2 
R12=    -6.200   D12=    0.350    N7=      1.8340   ν7=     37.2 
*R13=    -54.737  D13=    0.285 
*R14=    7.224    D14=    2.307    N8=      1.4875   ν8=     70.2 
*R15=    -6.588   D15=    0.050 
R16=   7.601    D16=    0.800    N9=      1.8340   ν9=     37.2 
R17=   4.467    D17=    可変
R18=   -5.991   D18=    0.500    N10=     1.8340   ν10=    37.2 
R19=   -19.654  D19=    可変
R20=   ∞       D20=    0.600   N11=      1.5163   ν11=    64.1 
R21=   ∞
／焦点距離      Wide    Middle   Tele
可変間隔／
D6                       0.521   4.808    1.762
D10                     11.962   3.713    0.255
D17                      7.311   6.290   5.677
D19                      0.200   5.183   12.300
非球面係数
13面    k=0
A=0 B=1.5464e-04 C=2.3539e-05 D=1.4487e-06 E=-5.7241e-08
14面    k=0
A=0 B=-1.4805e-03 C=-5.0395e-06 D=1.7754e-06 E=-1.2369e-08
15面    k=0
A=0 B=4.1729e-04 C=-4.3939e-05 D=2.5998e-06 E=-2.8596e-08
（数値実施例２）
ｆ＝6.3−18.9  Fno=2.4−5.0  ω＝29.3−10.5°
R1=    15.924   D1=      0.850   N1=     1.9229   ν1=    18.9 
R2=    8.910    D2=      2.500 
R3=    ∞       D3=     11.000   N2=     1.8040   ν2=    46.6 
R4=    ∞       D4=     0.678 
R5=    -23.391  D5=      1.177   N3=      1.7552  ν3=    27.5 
R6=    -11.961  D6=      可変
R7=    -10.497  D7=      0.400   N4=      1.6223  ν4=    53.2 
R8=    12.206   D8=      0.330 
R9=    11.620   D9=      1.800   N5=      1.8467  ν5=    23.8 
R10=   59.986   D10=     可変
R11=   6.292    D11=     3.500   N6=      1.4875  ν6=    70.2 
R12=   -6.754   D12=     0.380   N7=      1.8340  ν7=    37.2 
R13=   -31.948  D13=     0.200 
*R14=   8.673    D14=     2.222   N8=      1.4875   ν8=    70.2 
*R15=   -6.441   D15=     0.085 
R16=   -18.741  D16=     0.800   N9=      1.8340   ν9=    37.2 
R17=   30.053   D17=     可変
R18=   -4.500   D18=     0.500   N10=     1.8340   ν10=   37.2 
R19=   -10.130  D19=     可変
R20=    ∞     D20=      0.600   N11=     1.5163   ν11=   64.1 
R21=    ∞
／焦点距離      Wide    Middle   Tele
可変間隔／
D6                       0.538   4.630    2.984 
D10                     11.323   3.560    0.977
D17                      7.713   6.817    6.255
D19                      0.200   4.767    9.558
非球面係数
14面    k=0
A=0 B=-7.8721e-04 C=-3.1700e-05 D=6.1625e-07 E=-1.0793e-07
15面    k=0
A=0 B=1.1193e-03 C=-3.4844e-05 D=1.3647e-06 E=-9.4562e-08
（数値実施例３）
ｆ＝6.3−22.1  Fno=2.4−5.6  ω＝29.3−9.0°
R1=   16.819    D1=     0.900    N1=     1.9229   ν1=     18.9 
R2=    9.713    D2=     2.357 
R3=    ∞       D3=    10.500    N2=     1.8040   ν2=     46.6 
R4=    ∞       D4=     0.690 
R5=    -22.261  D5=      1.027   N3=      1.8467  ν3=     23.8 
R6=    -13.462  D6=      可変
R7=    -10.158  D7=      0.550   N4=      1.6393  ν4=     44.9 
R8=     9.102   D8=      1.385   N5=      1.8467  ν5=     23.8 
R9=    71.000   D9=      0.000 
R10=    ∞     D10=      可変
R11=    5.523  D11=      3.231   N6=      1.4875  ν6=     70.2 
R12=   -6.804  D12=      0.320   N7=      1.8340  ν7=     37.2 
R13=  -38.825  D13=      0.267 
*R14=    8.372  D14=      1.991   N8=      1.4875  ν8=     70.2 
*R15=   -6.012  D15=      0.050 
R16=  -18.912  D16=      1.438   N9=      1.8340  ν9=     37.2 
R17=   23.920  D17=      可変
R18=   -4.599  D18=      0.500   N10=     1.8348  ν10=    42.7 
R19=  -11.103  D19=      可変
R20=    ∞    D20=       0.600   N11=     1.5163  ν11=    64.1 
R21=    ∞
／焦点距離      Wide    Middle   Tele
可変間隔／
D6                       1.284    4.784   2.160 
D10                     10.395    3.296   0.200 
D17                      6.708    6.116   5.749 
D19                      0.200    4.392  10.478
非球面係数
14面    k=0
A=0 B=-1.3486e-03 C=-3.9246e-05 D=-3.9584e-06 E=1.2667e-07
15面    k=0
A=0 B=1.2971e-03 C=-4.6161e-05 D=-7.7310e-07 E=8.0469e-08
（数値実施例４）
ｆ＝6.3−18.9  Fno=2.5−5.3  ω＝29.3−10.5°
R1=    20.645   D1=      0.900   N1=      1.9229  ν1=    18.9 
R2=     9.782   D2=      1.700 
R3=     ∞      D3=     10.500   N2=      1.8040  ν2=    46.6 
R4=     ∞      D4=      0.347 
R5=    -50.851  D5=      0.979   N3=      1.8467  ν3=    23.8 
R6=    -17.125  D6=      可変
R7=    -11.058  D7=      0.550   N4=      1.7015  ν4=    41.2 
R8=     7.116   D8=      1.577   N5=      1.8467  ν5=    23.8 
R9=    67.121   D9=      可変
R10=    5.278   D10=     3.260   N6=      1.4875  ν6=    70.2 
R11=   -5.803   D11=     0.300   N7=      1.8340  ν7=    37.2 
*R12=   -89.923  D12=     0.200 
*R13=    6.225   D13=     2.332   N8=      1.4875  ν8=    70.2 
*R14=   -5.699   D14=     0.069 
R15=   28.539   D15=     0.801   N9=      1.8340  ν9=    37.2 
*R16=    8.006   D16=     可変
R17=   -5.316   D17=     0.500   N10=     1.8348  ν10=   42.7 
R18=   -24.116  D18=     可変
R19=    ∞      D19=     0.600   N11=     1.5163  ν11=   64.1 
R20=    ∞
／焦点距離     Wide     Middle   Tele
可変間隔／
D6                       0.672    2.516   0.408 
D9                       7.683    2.108   0.200 
D16                      5.545    4.820   4.479 
D18                      0.596    5.051   9.409
非球面係数
12面    k=0
A=0 B=4.7500e-04 C=1.1886e-05 D=-2.2869e-06 E=2.3746e-07
13面    k=0
A=0 B=-1.0867e-03 C=-5.8280e-05 D=-7.2467e-06 E=1.2741e-07
14面    k=0
A=0 B=8.9802e-04 C=-6.8994e-05 D=1.1690e-06 E=-1.7331e-07
16面    k=0
A=0 B=1.0330e-03 C=5.9134e-05 D=2.8816e-06 E=-7.2933e-07
（数値実施例５）
ｆ＝6.3−22.7  Fno=2.4−5.8  ω＝29.3−8.8°
R1=    17.853   D1=      0.850   N1=      1.9229  ν1=    18.9 
R2=     9.459   D2=      2.345 
R3=     ∞      D3=     10.200   N2=      1.8467  ν2=    23.8 
R4=     ∞      D4=      0.706 
R5=   -23.541   D5=      1.113   N3=      1.8052  ν3=    25.4 
R6=   -13.196   D6=      可変
R7=   -10.806   D7=      0.400   N4=      1.6177  ν4=    49.8 
R8=    9.219    D8=      1.256   N5=      1.8467  ν5=    23.8 
R9=   52.946    D9=      可変
R10=   9.977    D10=     0.900   N6=      1.5163  ν6=    64.1 
R11=  11.321    D11=     0.050 
R12=   6.284    D12=     3.074   N7=      1.4875  ν7=    70.2 
R13=  -6.819    D13=     0.320   N8=      1.8340  ν8=    37.2 
R14=-11015.044  D14=     0.200 
*R15=   7.549    D15=     2.589   N9=      1.4875  ν9=    70.2 
*R16=  -6.325    D16=     0.175 
R17=  -390.475  D17=     2.000   N10=     1.8340  ν10=     37.2 
*R18=  13.185    D18=     可変
R19=  -6.148    D19=    0.500   N11=      1.8040  ν11=     46.6 
R20= -21.695    D20=    可変
R21=   ∞       D21=    0.600   N12=      1.5163  ν12=     64.1 
R22=   ∞
／焦点距離     Wide    Middle   Tele
可変間隔／
D6                       1.672   4.928    1.559 
D9                      10.421   3.328    0.100 
D18                      6.329   5.369    4.781 
D20                      0.200   4.997   12.182
非球面係数
15面    k=0
A=0 B=-8.8222e-04 C=-2.4577e-05 D=-1.1520e-06 E=-1.1257e-07
16面    k=0
A=0 B=1.4185e-03 C=-8.4337e-05 D=2.5229e-06 E=-1.2053e-07
18面    k=0
A=0 B=3.0022e-04 C=6.2597e-05 D=1.2883e-06 E=-2.7774e-07
（数値実施例６）
ｆ＝ 5.82〜 15.50 Ｆｎｏ＝ 2.34 〜 5.00 ２ω＝54.6 〜 21.9
R 1 = 17.420     D 1 = 0.80 N 1 = 1.696797 ν 1 = 55.5
R 2 = 9.165      D 2 = 2.50
R 3 = ∞         D 3 = 6.50 N 2 = 1.696797 ν 2 = 55.5
R 4 = ∞         D 4 = 可変
R 5 = -13.555    D 5 = 0.70 N 3 = 1.696797 ν 3 = 55.5
R 6 = 50.746     D 6 = 1.30 N 4 = 1.834000 ν 4 = 37.2
R 7 = -22.278    D 7 = 可変
R 8 = 絞り       D 8 = 0.70
R 9 = 5.953      D 9 = 1.70 N 5 = 1.733997 ν 5 = 51.5
R10 = 20.439     D10 = 0.25
R11 = -13.273    D11 = 1.70 N 6 = 1.719995 ν 6 = 50.2
R12 = -3.864     D12 = 0.60 N 7 = 1.800999 ν 7 = 35.0
R13 = -38.096    D13 = 0.20
*R14 = 13.106     D14 = 1.70 N 8 = 1.487490 ν 8 = 70.2
*R15 = -4.634     D15 = 可変
*R16 = 159.392    D16 = 1.50 N 9 = 1.491710 ν 9 = 57.4
*R17 = 112.510    D17 = 0.60
R18 = -3.771     D18 = 0.70 N10 = 1.729157 ν10 = 54.7
R19 = -18.062    D19 = 可変
R20 = ∞         D20 = 0.60 N11 = 1.516330 ν11 = 64.1
R21 = ∞ 
＼焦点距離 5.82  10.46  15.50
可変間隔＼
D 4       2.51  0.73   1.19
D 7       7.30  5.16   0.80
D15       2.68  0.97   0.49
D19       1.00  6.62   11.01
非球面係数
14面 : ｋ=-2.39711e+01
Ａ=０ Ｂ=-2.63697e-03 Ｃ=-3.10017e-04 Ｄ=-2.70261e-06 Ｅ=-6.08507e-06
15面 : ｋ=3.75824e-01
Ａ=０ Ｂ=3.45097e-04  Ｃ=-1.78596e-04 Ｄ=1.09833e-05 Ｅ=-4.36814e-06
16面 : ｋ=-4.70761e+06
Ａ=０ Ｂ=6.47376e-03  Ｃ=-2.44585e-04 Ｄ=1.35856e-04 Ｅ=-1.02447e-05
17面 : ｋ=-3.93361e+06
Ａ=０ Ｂ=5.70058e-03  Ｃ=2.84537e-04  Ｄ=-2.77559e-05 Ｅ=2.99998e-05
（数値実施例７）
ｆ＝ 5.63〜 16.80 Ｆｎｏ＝ 2.08 〜 5.00 ２ω＝56.1 〜 20.2
R 1 =     48.153 D 1 = 0.80  N 1 = 1.603112 ν 1 = 60.6
R 2 =     11.083 D 2 = 2.30
R 3 = ∞         D 3 = 10.00 N 2 = 1.772499 ν 2 = 49.6
R 4 = ∞         D 4 = 可変
R 5 = 199.961    D 5 = 0.70  N 3 = 1.772499 ν 3 = 49.6
R 6 = 22.845     D 6 = 1.40  N 4 = 1.805181 ν 4 = 25.4
R 7 = 242.865    D 7 = 可変
R 8 = 絞り       D 8 = 0.70
R 9 = 5.245      D 9 = 2.00  N 5 = 1.487490 ν 5 = 70.2
R10 = -35.017    D10 = 0.25
R11 = -12.568    D11 = 1.70  N 6 = 1.719995 ν 6 = 50.2
R12 = -3.940     D12 = 0.60  N 7 = 1.834000 ν 7 = 37.2
R13 = -109.961   D13 = 0.50
* R14 = 18.634   D14 = 2.00  N 8 = 1.583126 ν 8 = 59.4
* R15 = -5.135   D15 = 可変
* R16 = 151.895  D16 = 1.20  N 9 = 1.749497 ν 9 = 35.3
* R17 = 121.189  D17 = 1.00
R18 = -3.555     D18 = 0.70  N10 = 1.729157 ν10 = 54.7
R19 = -20.295    D19 = 可変
R20 = ∞         D20 = 0.60  N11 = 1.516330 ν11 = 64.1
R21 = ∞ 
＼焦点距離 5.63 11.07 16.80
可変間隔＼
D 4       0.95  2.52  1.84
D 7      10.69  4.61  0.80
D15       2.77  0.98  0.51
D19       0.70  6.99 11.96
非球面係数
14面 : ｋ=1.66335e+01
Ａ=０ Ｂ=-3.21818e-03 Ｃ=-1.86168e-04 Ｄ=5.40611e-06 Ｅ=-2.02531e-06
15面 : ｋ=2.53718e-01
Ａ=０ Ｂ=3.69525e-04  Ｃ=-1.49964e-04 Ｄ=1.18370e-05 Ｅ=-1.34525e-06
16面 : ｋ=-5.25720e+06
Ａ=０ Ｂ=5.24497e-03 Ｃ=-1.79913e-04 Ｄ=7.42054e-05 Ｅ=-3.94180e-06
17面 : ｋ=-3.87782e+06
Ａ=０ Ｂ=4.24203e-03 Ｃ=4.38752e-05  Ｄ=2.06324e-05 Ｅ=5.70011e-06
（数値実施例８）
ｆ＝  5.81〜  11.62  Ｆｎｏ＝ 2.58 〜 5.00  ２ω＝54.6 〜 28.9
R 1 =   31.228      D 1 =  0.80      N 1 = 1.696797      ν 1 = 55.5
R 2 =    6.560      D 2 =  2.50
R 3 =    ∞         D 3 =  7.50      N 2 = 1.696797      ν 2 = 55.5
R 4 =    ∞         D 4 =  0.20
R 5 =   17.090      D 5 =  1.70      N 3 = 1.719995      ν 3 = 50.2
R 6 = -184.750      D 6 =  可変
R 7 =    絞り       D 7 =  0.70
R 8 =    8.734      D 8 =  1.70      N 4 = 1.733997      ν 4 = 51.5
R 9 =   20.421      D 9 =  0.40
R10 =   34.530      D10 =  1.70      N 5 = 1.719995      ν 5 = 50.2
R11 =   -8.541      D11 =  0.60      N 6 = 1.800999      ν 6 = 35.0
R12 =   12.151      D12 =  0.20
* R13 =    7.827      D13 =  1.70      N 7 = 1.487490      ν 7 = 70.2
* R14 =   -4.744      D14 =  可変
* R15 =  926.758      D15 =  1.50      N 8 = 1.749497      ν 8 = 35.3
* R16 = -1871.398      D16 =  0.50
R17 =   -7.786      D17 =  0.70      N 9 = 1.729157      ν 9 = 54.7
R18 =   12.012      D18 =  可変
R19 =    ∞         D19 =  0.60      N10 = 1.516330      ν10 = 64.1
R20 =    ∞ 
＼焦点距離      5.81     8.13     11.62
可変間隔＼
D 6             6.18     4.45      0.98
D14             2.93     1.53      0.49
D18             0.50     3.64      8.14
非球面係数
13面 : ｋ=-1.46645e+01   Ａ=０  Ｂ=-6.87569e-04  Ｃ=-6.88440e-04
Ｄ=-3.51490e-05  Ｅ=-1.21669e-05
14面 : ｋ=7.03414e-01    Ａ=０  Ｂ= 1.17600e-04  Ｃ=-4.53702e-04
Ｄ= 1.23625e-05  Ｅ=-8.60067e-06
15面 : ｋ=-4.70761e+06   Ａ=０  Ｂ= 4.09016e-03  Ｃ=-4.72506e-04
Ｄ= 1.62987e-04  Ｅ=-1.49799e-05
16面 : ｋ=-3.93361e+06   Ａ=０  Ｂ= 4.73146e-03  Ｃ=-5.89916e-05
Ｄ= 1.00802e-04  Ｅ=-2.00945e-06
【００７１】
【表１】
0004845458.tif 000002
【００７２】
このように実施例１〜８のズームレンズによれば、小型のズームレンズを実現できる。
【００７３】
次に本発明のズームレンズを撮影光学系として用いたデジタルスチルカメラの実施例を、図１７を用いて説明する。
【００７４】
図１７において、１０はデジタルカメラ本体、１１は本発明のズームレンズによって構成された撮影光学系、１２はカメラ本体に内蔵されたストロボ、１３は外部式ファインダー、１４はシャッターボタンである。１５は本発明のズームレンズのカメラボディ内での概略な光学系の配置関係を示す。
【００７５】
このように本発明のズームレンズをデジタルカメラ等の撮像装置に適用することにより、特にカメラボディ形態を薄型化がなされるような、小型で高い光学性能を有する撮像装置を実現している。
【００７６】
またこの例では、反射部材で偏向された光軸が上下（垂直）方向になるよう光学系を配置しているが、偏向された光軸が左右（水平）方向になるように光学系を配置しても良い。
【００７７】
本発明のズームレンズは、デジタルスチルカメラ、デジタルビデオカメラ等の撮像装置のほか、携帯電話、パーソナルコンピュータ、携帯型端末等に組み込まれる撮像ユニットに適用することも可能である。
【図面の簡単な説明】
【００７８】
【図１】実施例１のズームレンズの断面図である。
【図２】実施例１のズームレンズの収差図である
【図３】実施例２のズームレンズの断面図である。
【図４】実施例２のズームレンズの収差図である。
【図５】実施例３のズームレンズの断面図である。
【図６】実施例３のズームレンズの収差図である。
【図７】実施例４のズームレンズの断面図である。
【図８】実施例４のズームレンズの収差図である。
【図９】実施例５のズームレンズの断面図である。
【図１０】実施例５のズームレンズの収差図である。
【図１１】実施例６のズームレンズの断面図である。
【図１２】実施例６のズームレンズの収差図である。
【図１３】実施例７のズームレンズの断面図である。
【図１４】実施例７のズームレンズの収差図である。
【図１５】実施例８のズームレンズの断面図である。
【図１６】実施例８のズームレンズの収差図である。
【図１７】撮像装置の要部概略図である。
【符号の説明】
【００７９】
Ｂ１  第１レンズ群
Ｂ２  第２レンズ群
Ｂ３  第３レンズ群
Ｂ４  第４レンズ群
Ｐ  反射部材
ＳＰ  開口絞り
ＬＰ  光学ブロック
ＩＰ  像面
【図１】
0004845458.tif 000003
【図２】
0004845458.tif 000004
【図３】
0004845458.tif 000005
【図４】
0004845458.tif 000006
【図５】
0004845458.tif 000007
【図６】
0004845458.tif 000008
【図７】
0004845458.tif 000009
【図８】
0004845458.tif 000010
【図９】
0004845458.tif 000011
【図１０】
0004845458.tif 000012
【図１１】
0004845458.tif 000013
【図１２】
0004845458.tif 000014
【図１３】
0004845458.tif 000015
【図１４】
0004845458.tif 000016
【図１５】
0004845458.tif 000017
【図１６】
0004845458.tif 000018
【図１７】
0004845458.tif 000019